(57)【要約】【課題】人体のつぼに効果的に温熱刺激を与えることのできる電子温灸器を提供する。【解決手段】電子温灸器（１）は、遠赤外線を放射する放射源（２１）と、放射源からの遠赤外線を平行光として反射する凹面反射鏡（２２）と、凹面反射鏡から入射する遠赤外線を、所定の焦点位置（３１）に集束させる集束光として反射する軸外し放物面鏡（２３）と、軸外し放物面鏡から焦点位置に至る遠赤外線を断続的に遮断することで、遠赤外線を間欠照射する間欠照射手段（２４，２５）とを備える。【選択図】図２
2018068924.tif 000002
【特許請求の範囲】
【請求項１】
遠赤外線を放射する放射源と、
前記放射源からの遠赤外線を平行光として反射する凹面反射鏡と、
前記凹面反射鏡から入射する遠赤外線を、所定の焦点位置に集束させる集束光として反射する軸外し放物面鏡と、
前記軸外し放物面鏡から前記焦点位置に至る遠赤外線を断続的に遮断することで、遠赤外線を間欠照射する間欠照射手段とを備える、電子温灸器。
【請求項２】
前記間欠照射手段は、
前記軸外し放物面鏡から前記焦点位置までの範囲内に配置され、遠赤外線の通路を遮断する遮断部材と、
前記遮断部材を制御することで前記通路を開閉制御する制御部とを含む、請求項１に記載の電子温灸器。
【請求項３】
遠赤外線の照射部位における皮膚表面の温度を検知する温度センサをさらに含み、
前記制御部は、前記温度センサが検知する皮膚表面の温度に応じて、前記遮断部材を制御する、請求項２に記載の電子温灸器。
【請求項４】
皮膚表面への照射位置の位置決めのためのガイド部材をさらに備え、
前記ガイド部材は、皮膚表面に当接する当接部と、前記当接部に取り囲まれ、前記通路上に配置された照射穴とを有する、請求項２または３に記載の電子温灸器。
【請求項５】
前記軸外し放物面鏡の前記焦点位置が、前記ガイド部材の前記照射穴またはその付近に定められている、請求項４に記載の電子温灸器。
【請求項６】
前記遮断部材からの前記ガイド部材の相対位置を調節するための調節機構をさらに備える、請求項４または５に記載の電子温灸器。
【請求項７】
遠赤外線を間欠照射するモードと、遠赤外線を連続照射するモードとの２つのモードで動作可能である、請求項１〜６のいずれかに記載の電子温灸器。
【発明の詳細な説明】
【技術分野】
【０００１】
本発明は、電子温灸器に関し、特に、お灸の代わりに、遠赤外線を放射する放射源を用いて人体のつぼに温熱刺激を与える電子温灸器に関する。
【背景技術】
【０００２】
特開平１０−２８７１４号公報（特許文献１）に示されるように、従来から、遠赤外線を照射することで人体のツボに温熱刺激を与える電子温灸器が提案されている。この電子温灸器は、赤外線ランプと、赤外線ランプからの遠赤外線を反射する凹面鏡と、反射した遠赤外線を集束させる凸レンズとを備え、凸レンズにより集束した遠赤外線を人体のツボに直接照射する構成である。
【０００３】
また、特許第５３１４１５１号公報（特許文献２）に示されるように、電力供給を間欠方式とすることで、少ない電力で発熱ユニットの長時間の動作を維持できる携帯用遠赤外線温灸器も提案されている。
【先行技術文献】
【特許文献】
【０００４】
【特許文献１】特開平１０−２８７１４号公報
【特許文献２】特許第５３１４１５１号公報
【発明の概要】
【発明が解決しようとする課題】
【０００５】
特許文献１の電子温灸器は、凸レンズによって遠赤外線を集束させる構成であるが、遠赤外線の殆どがレンズに吸収されるため、レンズを通過した遠赤外線は減衰することが判明した。そのため、特許文献１の電子温灸器においては、お灸と同等の温熱刺激を人体のつぼに与えることができない。
【０００６】
また、特許文献２の温灸器では、発熱ユニットの温度上昇勾配に応じて、電力供給３〜５秒ごとに１秒の停止期間を設けるなどの間欠電力供給方式とすることが提案されている。しかしながら、電力（電圧）のオンオフを繰り返し行う構成の場合、人体の皮膚表面に照射される遠赤外線のエネルギー量を高位に保ったまま瞬時に変化させることができない。したがって、このような間欠照射方法では、人体のつぼに効果的に温熱刺激を与えることができない。
【０００７】
本発明は、上記のような課題を解決するためになされたものであって、その目的は、人体のつぼに効果的に温熱刺激を与えることのできる電子温灸器を提供することである。
【課題を解決するための手段】
【０００８】
この発明のある局面に従う電子温灸器は、遠赤外線を放射する放射源と、放射源からの遠赤外線を平行光として反射する凹面反射鏡と、凹面反射鏡から入射する遠赤外線を、所定の焦点位置に集束させる集束光として反射する軸外し放物面鏡と、軸外し放物面鏡から焦点位置に至る遠赤外線を断続的に遮断することで、遠赤外線を間欠照射する間欠照射手段とを備える。
【０００９】
好ましくは、間欠照射手段は、軸外し放物面鏡から焦点位置までの範囲内に配置され、遠赤外線の通路を遮断する遮断部材と、遮断部材を制御することで通路を開閉制御する制御部とを含む。
【００１０】
電子温灸器は、遠赤外線の照射部位における皮膚表面の温度を検知する温度センサをさらに含み、制御部は、温度センサが検知する皮膚表面の温度に応じて、遮断部材を制御することが望ましい。
【００１１】
また、電子温灸器は、皮膚表面への照射位置の位置決めのためのガイド部材をさらに備えることが望ましい。ガイド部材は、皮膚表面に当接する当接部と、当接部に取り囲まれ、通路上に配置された照射穴とを有する。
【００１２】
この場合、軸外し放物面鏡の焦点位置が、ガイド部材の照射穴またはその付近に定められていることが望ましい。
【００１３】
電子温灸器は、遮断部材からのガイド部材の相対位置を調節するための調節機構をさらに備えていてもよい。
【００１４】
また、遠赤外線を間欠照射するモードと、遠赤外線を連続照射するモードとの２つのモードで動作可能であることも望ましい。
【発明の効果】
【００１５】
本発明によれば、人体のつぼに効果的に温熱刺激を与えることができる。
【図面の簡単な説明】
【００１６】
【図１】本発明の実施の形態に係る電子温灸器の外観例を示す斜視図である。
【図２】本発明の実施の形態に係る電子温灸器の構成を模式的に示す図である。
【図３】本発明の実施の形態における遮断部材の機能を模式的に示す図である。
【図４】本発明の実施の形態に係る電子温灸器によって皮膚表面にパルス状に照射された遠赤外線が、人体の経穴（つぼ）に伝搬することを概念的に示す図である。
【図５】本発明の実施の形態において、照射初期からの遮断部材のオン／オフタイミングおよび遠赤外線のパルス幅の変化を示すタイムチャートである。
【図６】本発明の実施の形態に係る電子温灸器において、お灸を再現した遠赤外線強度の変化と皮膚の温度変化を示す。
【図７】もぐさを用いたお灸による遠赤外線強度の変化と皮膚の温度変化を示す。
【図８】照射初期からの遮断部材のオン／オフタイミングの他の例を示すタイムチャートである。
【図９】本発明の実施の形態の変形例に係る電子温灸器が有する２つのモードの違いを模式的に示す図である。
【図１０】本発明の実施の形態の変形例に係る電子温灸器が有する２つのモードそれぞれにおいて、皮膚表面への照射範囲の違いを模式的に示す図である。
【図１１】比較例において、ヒータ電圧のオン／オフタイミングおよび遠赤外線の出力波形を示すタイムチャートである。
【発明を実施するための形態】
【００１７】
本発明の実施の形態について図面を参照しながら詳細に説明する。なお、図中同一または相当部分には同一符号を付してその説明は繰返さない。
【００１８】
図１は、本実施の形態に係る電子温灸器１の外観例を示す斜視図である。図２は、本実施の形態に係る電子温灸器１の構成を模式的に示す図である。電子温灸器１は、遠赤外線を人体の皮膚表面９に照射して、皮膚表面９下の経穴（つぼ）に温熱刺激を与える装置である。なお、ここでは、理解の容易のために、使用状態において電子温灸器１は照射対象の皮膚表面９の上方に配置され、電子温灸器１から皮膚表面９への遠赤外線の照射方向が下向きであるとして説明する。
【００１９】
電子温灸器１は、筐体１０を備え、その内部に、遠赤外線を放射する放射源２１と、放射源２１からの遠赤外線を平行光として反射する凹面反射鏡２２と、凹面反射鏡２２から入射する遠赤外線を、所定の焦点位置３１に集束させる集束光として反射する軸外し放物面鏡２３とを含む。
【００２０】
図１に示されるように、筐体１０は、中空の直方体部分１１と、直方体部分１１の下部から下方に突出する筒状の突出部分１２とで構成されている。筐体１０は、透光性を有さない板状部材（たとえば金属、樹脂）により形成されている。直方体部分１１と突出部分１２とは仕切りなく接続されている。放射源２１、凹面反射鏡２２、および軸外し放物面鏡２３は、直方体部分１１の内部に収容されている。突出部分１２は、先細り形状となっており、その先端部（つまり、筐体１０の下端部）に後述するガイド部材４１が設けられている。
【００２１】
放射源２１は、たとえば、フィラメントを含むハロゲンランプにより構成される。ハロゲンランプの表面はセラミックコーティングされていることが望ましい。放射源２１は、所定の波長の遠赤外線を放射する。所定の波長は、人体の細胞から放出される遠赤外線と同程度の波長（９．８μｍ前後）であることが望ましい。
【００２２】
凹面反射鏡２２は、放射源２１の後方（横方向一方側）の焦点位置に配置される。凹面反射鏡２２は、放射源２１から放射される遠赤外線をその前面で受け、平行光に変換する。平行光に変換された遠赤外線は軸外し放物面鏡２３に向けて放射される。凹面反射鏡２２は上下方向に起立した状態で配置されるため、凹面反射鏡２２から軸外し放物面鏡２３に向かう平行光の光軸は横方向に沿って延びる。
【００２３】
軸外し放物面鏡２３は、入射する遠赤外線の軸を９０°ずらし、遠赤外線を下方に向けて集束させる。なお、光軸のずれ角度は９０°でなくてもよい。軸外し放物面鏡２３から下方へ反射された遠赤外線（集束光）は、人体の皮膚表面９に照射される。
【００２４】
ここで、ガイド部材４１は、人体の皮膚表面９に面接触する当接部１３と、当接部１３に取り囲まれ、遠赤外線を通過させるための照射穴１４とを有する。照射穴１４は、軸外し放物面鏡２３の焦点位置３１に配置される。これにより、皮膚表面９への照射位置が軸外し放物面鏡２３の焦点位置３１に設定される。したがって、使用時において、照射穴１４が照射対象のつぼ上に位置するようにガイド部材４１を設置すれば、つぼに対して正確に遠赤外線をビーム状に照射することができる。このように、ガイド部材４１によって、施術者は、皮膚表面９への照射位置の位置決めを容易に行うことができる。照射穴１４は、典型的には円形であるが、他の形状であってもよい。
【００２５】
なお、照射穴１４は、理想的には軸外し放物面鏡２３の焦点位置３１がその中心に位置するように設けられるが、照射穴１４の位置は、軸外し放物面鏡２３からその焦点位置３１までの遠赤外線の通路上であれば、焦点位置３１から多少前後（上下方向）にずれていてもよい。つまり、軸外し放物面鏡２３の焦点位置３１は、照射穴１４またはその付近に定められていればよい。
【００２６】
照射穴１４の直径は５ｍｍ程度である。このように照射穴１４の直径を比較的小さくすることで、筐体１０内部において散乱した余分な遠赤外線を照射穴１４周りの当接部１３において除去し、主成分の遠赤外線だけを人体のつぼ（皮膚表面９）にビーム照射することができる。これにより、遠赤外線の集束精度が向上する。なお、照射穴１４の直径は、５ｍｍでなくてもよく、３ｍｍ以上１０ｍｍ以下の範囲内で定められればよい。あるいは、３ｍｍ以上２０ｍｍ以下の範囲内で定められてもよい。
【００２７】
上述のように、電子温灸器１は、放射源２１から放射された遠赤外線を、凹面反射鏡２２および軸外し放物面鏡２３を用いて集束させる構成である。特許文献１のようにレンズを用いて遠赤外線を集束しようとすると、遠赤外線がレンズを通過する際にその殆どがレンズに吸収されるため、皮膚表面に照射される遠赤外線の強度は低下してしまう。これに対し、電子温灸器１ではこれらの凹面鏡が用いられるため、遠赤外線を減衰させることなく（または、減衰量を抑制して）集束させることができる。
【００２８】
したがって、本実施の形態によれば、焦点位置３１において放射源２１のフィラメントが投影された状態となり、放射源２１から放射された遠赤外線の強度を維持したまま焦点位置３１に遠赤外線を集束させることができる。なお、凹面反射鏡２２および軸外し放物面鏡２３の凹面（反射面）には、遠赤外線を効率良く反射するために、金メッキが施されていることが望ましい。
【００２９】
ここで、電子温灸器１の筐体１０内にはさらに、軸外し放物面鏡２３から焦点位置３１（照射穴１４）までの範囲内に遮断部材２４が設けられている。この遮断部材２４は、軸外し放物面鏡２３から焦点位置３１に向かう遠赤外線（集束光）の通路３２を遮断可能である。遮断部材２４は、取付部材１５を介して、集束光の光軸に直交（交差）するように筐体１０の突出部分１２に取り付けられている。
【００３０】
遮断部材２４は、通路３２を開状態とする開位置と通路３２を閉状態とする閉位置とに変位可能な公知のシャッターである。遮断部材２４がオン状態であって開位置に位置するとき、図３（Ａ）に示すように、軸外し放物面鏡２３からの遠赤外線が通路３２を通過して焦点位置３１に達する。この場合、皮膚表面９に遠赤外線がビーム状に照射される。これに対し、遮断部材２４がオフ状態であって閉位置に位置するとき、図３（Ｂ）に示すように、遮断部材２４により通路３２が遮断されるため、軸外し放物面鏡２３からの遠赤外線は焦点位置３１に達しない。この場合、皮膚表面９に遠赤外線は照射されない。
【００３１】
本実施の形態では、遮断部材２４のオン／オフを周期的に繰り返すことにより、通路３２を通る遠赤外線を断続的に遮断し、皮膚表面９に遠赤外線を間欠照射する。つまり、遮断部材２４を用いて、皮膚表面９に照射する遠赤外線をパルス化する。皮膚表面９にパルス状に照射された遠赤外線は、細胞の分子振動により経穴（つぼ）９０に伝搬される。図４には、その概念図が示されている。
【００３２】
本実施の形態のように、皮膚表面９への照射位置に遠赤外線の焦点位置３１が設定される場合、遠赤外線を連続で照射すると皮膚表面９は火傷することが想定されるため、このように遮断部材２４を用いることで、照射する遠赤外線をパルス状としている。そのため、電子温灸器１によれば、後述の図５に示すように、照射される遠赤外線のエネルギー量は放射源２１（ランプ）が放射する遠赤外線のエネルギー量（Ｖｅ）と同等の高位に保ちながら、皮膚表面９の火傷を防止することができる。つまり、瞬間的なエネルギー量を高く取れるため、もぐさを焼いて使用するお灸の熱刺激と同等の効果を得ることができる。
【００３３】
図１１に比較例を示す。図１１に示すように、放射源としてのヒータの電圧をオン／オフすることにより遠赤外線を間欠照射しようとうすると、遠赤外線の出力は、電圧のオン／オフに追いつかず積分された波形となる。そのため、照射される遠赤外線の熱エネルギー量は、オン時であっても、放射源から放射される遠赤外線の熱エネルギー量よりも遥かに低くなる。これに対し、本実施の形態では、遠赤外線の通路３２を機械的に遮断する遮断部材２４を用いるため、オン時において照射される遠赤外線の熱エネルギー量の低下を防止できる。したがって、電子温灸器１によれば、皮膚表面９に照射される遠赤外線の瞬間的な熱エネルギー量をお灸のエネルギー量以上とすることもできる。
【００３４】
再び図２を参照して、電子温灸器１は、遮断部材２４を制御する制御回路（制御部）２５を備える。制御回路２５は、演算処理を行う演算処理部と、プログラムやデータを記憶するメモリと、計時動作を行う計時部とを含む。制御回路２５の演算処理部は、メモリに格納されたプログラムに基づき、所定の周期で、遮断部材２４をオン／オフする。本実施の形態では、遮断部材２４と制御回路２５とにより、遠赤外線を間欠照射する間欠照射手段が構成される。
【００３５】
上述のように、皮膚表面９に遠赤外線を間欠照射することで火傷を防止する構成であるが、使用期間中ずっと、遮断部材２４を一定周期でオン／オフした場合、蓄熱により皮膚表面９の温度が高温となる可能性もある。そのため、制御回路２５は、皮膚表面９の温度に応じて遮断部材２４のオン／オフタイミングを調整することが望ましい。すなわち、周期単位での遠赤外線の照射時間の比率（ここでは、これを「遠赤外線のパルス幅」ともいう）が、皮膚表面９の温度に応じて調整されることが望ましい。なお、図５（Ｂ），（Ｃ）からも分かるように、遠赤外線の照射時間は、遮断部材２４のオン時間と等しい。
【００３６】
そこで、本実施の形態に係る電子温灸器１は、皮膚表面９の温度を検知する温度センサ２６を有しており、温度センサ２６の検知信号を制御回路２５に入力する。温度センサ２６は、皮膚表面９と面接触する当接部１３の表面に設けられている。制御回路２５の演算処理部は、温度センサ２６が検知する皮膚表面９の温度に応じて、遮断部材２４のオン／オフタイミングを調整する。これにより、皮膚表面９に照射される遠赤外線のパルス幅が調整される。
【００３７】
図５を参照して、遠赤外線の照射初期（時間ｔ０）からのパルス幅の変化の一例について説明する。図５（Ａ）には、使用期間中、放射源２１（ランプ）が放射する遠赤外線のエネルギー量が一定（Ｖｅ）であることが示される。図５（Ｂ）には、使用期間中における遮断部材２４のオン／オフタイミングの一例が示される。図５（Ｃ）には、使用期間中、遮断部材２４のオン／オフタイミングに応じて変化する遠赤外線のパルス幅が示される。
【００３８】
遠赤外線の照射初期（使用開始時）から皮膚表面９の温度が第１の閾値に達するまでの間（時間ｔ０〜ｔ１）、制御回路２５は第１の周期で遮断部材２４のオン／オフを繰り返す。皮膚表面９の温度が第１の閾値に達した場合、制御回路２５は、第２の周期で遮断部材２４のオン／オフを繰り返す。第２の周期では、第１の周期と比較して、遮断部材２４のオン時間は一定のままでオフ時間Ｔａが長くなっている。なお、図５（Ｂ）に示されるように、第１の周期および第２の周期の双方とも、遮断部材２４のオン時間（遠赤外線の照射時間）よりも遮断部材２４のオフ時間（遠赤外線の非照射時間）の方が長い。
【００３９】
その後、皮膚表面９の温度が第１の閾値よりも高い第２の閾値まで達した場合、制御回路２５は、第３の周期で遮断部材２４のオン／オフを繰り返す。第３の周期では、オン時間は一定のままで、第２の周期よりもさらにオフ時間Ｔａが長くなっている。
【００４０】
このように、皮膚表面９の温度が上昇する過程においては、オフ時間を徐々に長くする（周期も長くする）ことで、皮膚表面９の温度が高くなり過ぎるのを防止することができる。
【００４１】
図５に示したように、本実施の形態に係る電子温灸器１においては、皮膚表面９の温度を温度センサ２６によりフィードバックすることで、照射／非照射のタイミングを調整して皮膚表面９の火傷を防止することができる。しかも、瞬間的なエネルギー量を高位に保ちながら、遠赤外線を間欠照射することができるため、人体のつぼに安全かつ効果的に温熱刺激を与えることができる。
【００４２】
図７に、もぐさを用いたお灸による遠赤外線強度の変化と皮膚の温度変化を示す。もぐさを用いたお灸の場合、燃え始めからピーク時まで時間が経つにつれて遠赤外線の強度が上昇するが、遠赤外線強度の上昇に伴い皮膚温度もかなり高い温度まで上昇する。そのため、治療のための必要刺激を得るためには、お灸を使用する場合でも皮膚表面が火傷するおそれがある。
【００４３】
図６は、電子温灸器１において、もぐさを用いたお灸を再現した遠赤外線強度の変化と皮膚の温度変化を示す。電子温灸器１は、たとえば放射源２１の電圧を調整することにより、放射源２１から放射される遠赤外線の強度を一定とせず、お灸と同様に、放射する遠赤外線の強度を変化させることができる。
【００４４】
図６に示すように、ピーク時における遠赤外線の熱エネルギー量をお灸と同じにしたとしても、皮膚表面９の温度を温度センサ２６によりフィードバックすることで、ピーク時における皮膚表面９の温度をお灸の場合よりも下げることができる。したがって、お灸の遠赤外線強度の変化パターン（つまり、お灸によるつぼ治療パターン）を再現することで、つぼに効果的に温熱刺激を与えながら、皮膚表面９の火傷を防止することができる。
【００４５】
なお、本実施の形態では、皮膚表面９の温度上昇を抑えるために、遮断部材２４のオン時間（遠赤外線の照射時間）は一定のまま遮断部材２４のオフ時間（遠赤外線の非照射時間）を増やすこととしたが、このような方法に限定されない。皮膚表面９の温度上昇を抑えるためには、周期単位での照射時間の比率を徐々に小さくしていけばよいため、たとえば、図８に示すように、周期（Ｔｃ）は一定のままで、オン時間（Ｔｂ）を徐々に短くしてもよい。なお、この場合もオフ時間が増えることになる。
【００４６】
（変形例）
上記実施の形態では、使用期間中、皮膚表面９に対し遠赤外線が間欠照射されることとしたが、電子温灸器１は、遠赤外線を間欠照射するモードと、遠赤外線を連続照射するモードとの２つのモードで動作可能であってもよい。本変形例では、前者のモードが温灸モードとして機能し、後者のモードが温熱モードとして機能する。
【００４７】
図９（Ａ）は、温灸モードにおけるガイド部材４１の相対位置を模式的に示す図であり、図９（Ｂ）は、温熱モードにおけるガイド部材４１の相対位置を模式的に示す図である。本変形例においては、ガイド部材４１の照射穴１４の直径が実施の形態で説明した直径よりも大きく、たとえば３０ｍｍ〜６０ｍｍ程度である。
【００４８】
図９（Ａ）に示されるように、温灸モードにおけるガイド部材４１の相対位置は上記実施の形態と同じである。そのため、軸外し放物面鏡２３の焦点位置３１に皮膚表面９への照射位置が設定されている。これに対し、図９（Ｂ）に示されるように、温熱モードにおけるガイド部材４１の相対位置は、温灸モードにおけるガイド部材４１の相対位置よりも遮断部材２４側である。つまり、焦点位置３１よりも手前（遮断部材２４側）に皮膚表面９への照射位置が設定されている。
【００４９】
そのため、温熱モードにおいては、遮断部材２４とガイド部材４１（当接部１３）との間の間隔Ｌ２が、温灸モードにおける間隔Ｌ１よりも短い。以下の説明では、温灸モードにおけるガイド部材４１の位置を「最下位置」、温熱モードにおけるガイド部材４１の位置を「最上位置」という。
【００５０】
温灸モードでは、ガイド部材４１が最下位置に位置するため、図１０（Ａ）に示されるように皮膚表面９への照射範囲９１はもぐさを用いたお灸と同様に小さい。これに対し、温熱モードでは、ガイド部材４１が最上位置に位置するため、集束途中の直径の比較的大きい遠赤外線が照射穴１４を通過する。したがって、図１０（Ｂ）に示されるように、温熱モードにおける皮膚表面９への照射範囲９２は温灸モードの照射範囲９１よりも大きい。
【００５１】
本変形例において、電子温灸器１はモードを選択するための操作部（図示せず）を有し、制御回路２５は、操作部からの指示信号に応じて、遮断部材２４を制御する。操作部は、たとえば筐体１０の表面に設けられる。
【００５２】
具体的には、施術者（ユーザ）により温灸モードが選択された場合、制御回路２５は、前述の実施の形態で示したように遮断部材２４のオン／オフ制御（開閉制御）を行う。これに対し、温熱モードが選択された場合には、制御回路２５は、遮断部材２４を連続的にオン状態（開位置）とする。温熱モードにおいては、直径の比較的大きい遠赤外線の集束光を皮膚表面９に連続照射することで、部分的に体温を上昇させ、熱ショックタンパク質を産出させることができる。
【００５３】
ガイド部材４１の位置の調節は、電子温灸器１において自動で行われてもよいし、施術者が手動で行ってもよい。前者の場合、電子温灸器１は、ガイド部材４１の位置を最下位置と最上位置との間で変位させるための調節機構（図示せず）を有し、操作部（図示せず）を介したモード選択に応じて、制御回路２５がこの調節機構を制御する。
【００５４】
なお、照射穴１４の大きさも、モード選択に応じて自動で調整できるようにしてもよい。たとえば、実施の形態で示した照射穴１４の直径（たとえば５ｍｍ）をデフォルトとし、温熱モードが選択された場合に、照射穴１４の直径が大きくなるように調整できてもよい。
【００５５】
以上説明したように、本変形例によれば、一台の電子温灸器１で２つの異なる施術を行うことができる。したがって、電子温灸器１の有用性を高めることができる。
【００５６】
なお、本変形例では、ガイド部材４１の位置が最下位置の場合に間欠照射とし、ガイド部材４１の位置が最上位置の場合に連続照射することとしたが、ガイド部材４１の位置を同じにしたまま異なる照射モードで動作できてもよい。たとえば、ガイド部材４１の位置を最上位置に設定したまま、一定時間に限り間欠照射できるようにしてもよい。
【００５７】
上記実施の形態およびその変形例では、遠赤外線を間欠照射する間欠照射手段が、遮断部材２４とそれを制御する制御回路２５とにより構成されることとした。しかしながら、間欠照射手段は、少なくとも、軸外し放物面鏡２３から焦点位置３１に至る遠赤外線を断続的に遮断できれば、他種の１または複数の部材により構成されてもよい。
【００５８】
また、ガイド部材４１の照射穴１４が当接部１３に設けられた貫通孔であるとして説明したが、当接部１３が照射穴１４を取り囲むように（あるいは照射穴１４に隣接して）配置されていればよく、たとえば照射穴１４は当接部１３に設けられた切欠き部分であってもよい。
【００５９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６０】
１  電子温灸器、９  皮膚表面、１０  筐体、１３  当接部、１４  照射穴、１５  取付部材、２１  放射源、２２  凹面反射鏡、２３  軸外し放物面鏡、２４  遮断部材、２５  制御回路、２６  温度センサ、３１  焦点位置、３２  通路、４１  ガイド部材、９１，９２  照射範囲。
【図１】
2018068924.tif 000003
【図２】
2018068924.tif 000004
【図３】
2018068924.tif 000005
【図４】
2018068924.tif 000006
【図５】
2018068924.tif 000007
【図６】
2018068924.tif 000008
【図７】
2018068924.tif 000009
【図８】
2018068924.tif 000010
【図９】
2018068924.tif 000011
【図１０】
2018068924.tif 000012
【図１１】
2018068924.tif 000013
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
遠赤外線を集束させて皮膚表面に照射する電子温灸器であって、
遠赤外線を放射する放射源と、
前記放射源からの遠赤外線を平行光として反射する凹面反射鏡と、
前記凹面反射鏡から入射する遠赤外線を、所定の焦点位置に集束させる集束光として反射する軸外し放物面鏡と、
遠赤外線の照射部位に前記集束光の焦点位置が合わせられた状態において、前記軸外し放物面鏡から前記焦点位置に至る遠赤外線を断続的に遮断することで、遠赤外線を間欠照射する間欠照射手段とを備える、電子温灸器。
【請求項２】
前記間欠照射手段は、
前記軸外し放物面鏡から前記焦点位置までの範囲内に配置され、遠赤外線の通路を遮断する遮断部材と、
前記遮断部材を制御することで前記通路を開閉制御する制御部とを含む、請求項１に記載の電子温灸器。
【請求項３】
遠赤外線の照射部位における皮膚表面の温度を検知する温度センサをさらに含み、
前記制御部は、前記温度センサが検知する皮膚表面の温度に応じて、前記遮断部材を制御する、請求項２に記載の電子温灸器。
【請求項４】
皮膚表面への照射位置の位置決めのためのガイド部材をさらに備え、
前記ガイド部材は、皮膚表面に当接する当接部と、前記当接部に取り囲まれ、前記通路上に配置された照射穴とを有する、請求項２または３に記載の電子温灸器。
【請求項５】
前記軸外し放物面鏡の前記焦点位置が、前記ガイド部材の前記照射穴またはその付近に定められている、請求項４に記載の電子温灸器。
【請求項６】
遠赤外線を間欠照射するモードと、遠赤外線を連続照射するモードとの２つのモードで動作可能であり、
前記軸外し放物面鏡および前記遮断部材からの前記ガイド部材の相対位置を調節するための調節機構をさらに備える、請求項４または５に記載の電子温灸器。
【請求項７】
遠赤外線を間欠照射するモードと、遠赤外線を連続照射するモードとの２つのモードで動作可能である、請求項１〜５のいずれかに記載の電子温灸器。